(57)【要約】【課題】引き出しパネルのキャビネット体に対する角度及び/或いは位置の調整に便利で、家具コンポーネントに用いる調整装置を提供する。【解決手段】固定部１２は第一孔２８ａ及びウィンドウ３０を備え、第一プレート１４は固定部１２に連接し、第二プレート１６は固定部１２に連接し、第二プレート１６は第一接触部４６及び第二接触部４８を備え、第一調整部材２０ａは調整部５２ａ及び偏心部５４ａを備え、調整部５２ａと第二プレート１６の第二接触部４８とは接触し、偏心部５４ａは固定部１２のウィンドウ３０を貫通し、第一プレート１４に移動可能に接続し、第一ロック部材２２ａの一部は第二プレート１６の第一接触部４６より固定部１２の第一孔２８ａを貫通し第一プレート１４に連接し、第二プレート１６は第一調整部材２０ａの移動に呼応し、第二プレート１６は固定部１２に相対して移動することができる。【選択図】  図２ａ
0003192554.tif 000002
【実用新案登録請求の範囲】
【請求項１】
固定部、第一プレート、第二プレート、第一調整部材、および第一ロック部材を備え、 
前記固定部は、第一面部、前記第一面部に相対する第二面部、第一孔、及びウィンドウを有し、
前記第一プレートは、前記固定部の第一面部に接続し、前記固定部のウィンドウに対応する第一軸部を有し、
前記第二プレートは、前記固定部の第二面部に接続し、第一接触部及び第二接触部を有し、前記第一接触部が前記固定部の第一孔に対応し、前記第二接触部が前記固定部のウィンドウに対応し、
前記第一調整部材は、調整部、及び前記調整部に連接する偏心部を有し、前記調整部と前記第二プレートの第二接触部とが接触し、前記偏心部が、前記固定部のウィンドウを貫通し、前記第一プレートの第一軸部に移動可能に接続し、
前記第一ロック部材の一部は、前記第二プレートの第一接触部より、前記固定部の第一孔を通過して、前記第一プレートに接続し、
前記第二プレートは、前記第一調整部材の移動に対応し、前記固定部に相対して移動可能であることを特徴とする調整装置。
【請求項２】
前記固定部及び前記第一プレートに接続する第二調整部材をさらに備え、
前記固定部は縦方向孔を有し、
前記第一プレートは第二軸部を有し、
前記第二調整部材は、調整部、及び前記調整部に接続する偏心部を有し、前記調整部と前記固定部の縦方向孔の孔壁とが接触し、
前記偏心部は、前記第一プレートの第二軸部に移動可能に接続し、
前記第一プレートは、前記第二調整部材の移動に対応し、前記固定部に相対して移動可能であり、前記第一ロック部材と連動して、前記固定部に相対して移動可能であり、
前記第二プレートは、前記第一ロック部材の移動に対応し、前記固定部に相対して移動可能であることを特徴とする請求項１に記載の調整装置。
【請求項３】
前記第一プレートは、一対の第一横方向孔を有し、
一対の前記第一横方向孔を通過することで前記第一プレートと前記固定部とを接続させる一対の第一連結部材をさらに備え、
前記第一プレートは、前記固定部に相対して、横方向に移動可能であることを特徴とする請求項１に記載の調整装置。
【請求項４】
前記固定部は、第二孔を有し、
前記固定部の第二孔に対応する連接部をさらに備え、
前記連結部は、相互に予定距離離れている第一側壁及び第二側壁を有し、
一部が、前記第二プレートの連結部より、前記固定部の第二孔を通過し、前記第一プレートに接続する第二ロック部材をさらに備え、
前記第一プレート及び前記第二プレートは、前記固定部に螺合されていることを特徴とする請求項１に記載の調整装置。
【請求項５】
前記第二プレートは、第一プレートセクション、及び前記第一プレートセクションに垂直に接続する第二プレートセクションを有し、
前記第一接触部及び前記第二接触部は、前記第一プレートセクションに設置されていることを特徴とする請求項１に記載の調整装置。
【請求項６】
前記固定部の第二孔は、幅及び高度を有し、
前記第二プレートの連結部は、幅及び高度を有し、
前記第二孔の幅は、前記第二プレートの連結部の幅以上であり、
前記第二孔は、前記第二プレートの連結部の高度より大きい高度を有することを特徴とする請求項４に記載の調整装置。
【請求項７】
キャビネット体、引き出しパネル、及びスライドレールアセンブリを備え、前記スライドレールアセンブリが、少なくとも固定レール、及び前記固定レールに相対してスライド可能な可動レールを有し、前記固定レールが前記キャビネット体に固定されており、家具コンポーネントに適用する調整装置であって、
固定部、第一プレート、第二プレート、第一調整部材、および第一ロック部材を備え、
前記固定部は、前記スライドレールアセンブリの可動レールに固定されており、第一孔及びウィンドウを有し、
前記第一プレートは、前記固定部に接続されており、前記固定部のウィンドウに対応する第一軸部を有し、
前記第二プレートは、前記固定部に接続されており、第一プレートセクション、及び前記第一プレートセクションに垂直に接続する第二プレートセクションを有し、
前記引き出しパネルは、前記第二プレートセクションに設置されており、
前記第一プレートセクションは、第一接触部及び第二接触部を有し、前記第一接触部が前記固定部の第一孔に対応し、前記第二接触部が前記固定部のウィンドウに対応し、
前記第一調整部材は、調整部、及び前記調整部に接続する偏心部を有し、前記調整部が前記第二プレートの第二接触部と接触し、前記偏心部が、前記固定部のウィンドウを貫通し、前記第一プレートの第一軸部に移動可能に接続されており、
前記第一ロック部材の一部は、前記第二プレートの第一接触部より、前記固定部の第一孔を通過して、前記第一プレートに接続し、
前記第二プレートは、前記第一調整部材の移動に対応し、前記固定部に相対する偏移角度が調整可能であり、
前記引き出しパネルの前記キャビネット体に対する角度が調整可能であることを特徴とする調整装置。
【請求項８】
前記固定部及び前記第一プレートに接続する第二調整部材をさらに備え、
前記固定部は、縦方向孔を有し、
前記第一プレートは、第二軸部を有し、
前記第二調整部材は、調整部、及び前記調整部に接続する偏心部を有し、
前記調整部と前記固定部の縦方向孔の孔壁とが接触し、
前記偏心部は、前記第一プレートの第二軸部に移動可動に接続しており、
前記第一プレートは、前記第二調整部材の移動に対応しており、前記固定部に相対して移動し、前記第一ロック部材を連動させ前記固定部に対して移動させ、
前記第二プレートは、前記第一ロック部材の移動に対応しており、前記固定部に相対して移動可能であることを特徴とする請求項７に記載の調整装置。
【請求項９】
前記第一プレートは、一対の第一横方向孔及び一対の第二横方向孔を有し、
一対の前記第一横方向孔を通過する一対の第一連結部材、および、一対の前記第二横方向孔を通過し前記第一プレートを前記固定部に接続している第二連結部材をさらに備え、
前記第一プレートは、前記固定部に相対して、横方向に移動可能であることを特徴とする請求項７に記載の調整装置。
【請求項１０】
前記固定部は、第二孔、および前記固定部の第二孔に対応する連結部を有し、
前記連結部は、相互に予定距離離れている第一側壁及び第二側壁を有し、
一部が、前記第二プレートの連結部より、前記固定部の第二孔を通過し、前記第一プレートに接続する第二ロック部材をさらに備え、
前記第一プレート及び前記第二プレートは、前記固定部に螺合されていることを特徴とする請求項７に記載の調整装置。
【考案の詳細な説明】
【技術分野】
【０００１】
本考案は、調整装置に関し、引き出しパネルのキャビネット体に対する角度及び/或いは位置の調整が便利で、家具コンポーネントに用いられる調整装置に関する。
【背景技術】
【０００２】
図１に示す引き出しシステム２は、引き出しキャビネット体４及び複数の引き出し６ａ、６ｂ、６ｃを備える。
一般的に、通常は一対のスライドレールアセンブリを、引き出しキャビネット体４と各引き出し６ａ、６ｂ、６ｃとの間に設置し、これにより各引き出し６ａ、６ｂ、６ｃは、一対のスライドレールアセンブリにより、容易に、引き出しキャビネット体４から引き出され、或いは引き出しキャビネット体４内へと押し入れられて収納される。
【０００３】
引き出しシステムが含む引き出しキャビネット体４、引き出し６ａ、６ｂ、６ｃ或いはスライドレールアセンブリに、組立てパーツの公差が過大、組立て不良、或いは他の組立て品質に影響を及ぼす異常が発生すると、引き出し６ａ、６ｂ、６ｃは、引き出しキャビネット体４に相対して収納された後に、正確に位置できず、歪みや偏りの状態が発生する。
【０００４】
図１に示す引き出し６ａ及び６ｂは、歪み、偏りの異常な状態である。
図１内の歪み、偏り角度はθ１とθ２で、引き出し６ｃは、正常な状態を示している。
【０００５】
特許文献１に示す引き出しパネルは、スライドレールに対して調整機能を備える。
これにより、引き出しパネルは、引き出しキャビネット体の位置を調整できる。
【先行技術文献】
【特許文献】
【０００６】
【特許文献１】米国特許番号第Ｕ.Ｓ.６,３９０,５７６Ｂ１号明細書
【考案の概要】
【考案が解決しようとする課題】
【０００７】
しかし、上述した考案は使用上に欠点があり、改善する必要がある。その原因は下記の通りである。
【０００８】
特許文献１の調整手段は、使用者が手で引き出しパネルを支え、次にネジで螺固し定位するものであるが、使用者が手で引き出しパネルを支える調整方式は、労力がかかるという問題があり、同構造の調整手段は理想的とはいえない。
【０００９】
本考案は、上述の問題に鑑みてなされたものであり、その目的は、キャビネット体に対する引き出しパネルの角度及び/或いは位置を使用者が便利に調整することができる調整装置を提供することにある。
【課題を解決するための手段】
【００１０】
調整装置は、固定部、第一プレート、第二プレート、第一調整部材、第一ロック部材を備える。
該固定部は、第一面部、該第一面部に相対する第二面部、第一孔、及びウィンドウを有する。
該第一プレートは、該固定部の第一面部に連接し、該第一プレートは、該固定部のウィンドウに対応する第一軸部を有する。
該第二プレートは、該固定部の第二面部に連接し、該第二プレートは、第一接触部及び第二接触部を備え、該第一接触部は、該固定部の第一孔に対応し、該第二接触部は、該固定部のウィンドウに対応している。
該第一調整部材は、調整部、及び該調整部に連接する偏心部を備え、該調整部と該第二プレートの第二接触部とは接触し、偏心部は、固定部のウィンドウを貫通し、第一プレートの第一軸部に移動可能に接続する。
該第一ロック部材の一部は、該第二プレートの第一接触部より、該固定部の第一孔を通過して、該第一プレートに接続する。
該第二プレートは、該第一調整部材の移動に対応し、該第二プレートは、該固定部に相対して移動する。
好ましくは、該固定部及び該第一プレートに連接する第二調整部材をさらに備える。
該固定部は、縦方向孔を有し、該第一プレートは、第二軸部を有し、該第二調整部材は、調整部、及び該調整部に連接する偏心部を有する。
該調整部と該固定部の縦方向孔の孔壁とは、接触している。該偏心部は、該第一プレートの第二軸部に移動可能に接続している。該第一プレートは、該第二調整部材の移動に対応し、該固定部に相対して移動し、該第一ロック部材を連動して、該固定部に対して移動させる。
これにより、該第二プレートは、該第一ロック部材の移動に対応し、該固定部に相対して移動する。
好ましくは、該第一プレートは、一対の第一横方向孔を有し、該一対の第一連結部材により、該一対の第一横方向孔を通過し、該第一プレートを該固定部に連接し、該第一プレートは、該固定部に相対して、横方向に移動可能である。
好ましくは、該第一プレートは、一対の第二横方向孔を有し、一対の第二連結部材により一対の第二横方向孔を通過し、第一プレートを該固定部に連接し、該第一プレートは、該固定部に相対して、横方向に移動可能である。
好ましくは、該固定部は、第二孔、該固定部の第二孔に対応する連結部を有し、該連結部は、第一側壁及び第二側壁を有し、該第一側壁及び該第二側壁は、相互に所定距離離れている。該第二ロック部材の一部は、該第二プレートの連結部より、該固定部の第二孔を通過し、該第一プレートに接続する。これにより該第一プレート及び該第二プレートは、該固定部に螺合されている。
好ましくは、該第二プレートは、第一プレートセクション、及び該第一プレートセクションに垂直に連接する第二プレートセクションを有し、該第一接触部及び該第二接触部は、該第一プレートセクションに設置されている。
好ましくは、該固定部の第二孔は、幅及び高度を有する。該第二プレートの連結部は、幅及び高度を有する。該第二孔は幅が該第二プレートの連結部の幅より大きく形成されている。同等で、該第二孔は高度が該第二プレートの連結部の高度より大きく形成されている。
【００１１】
調整装置は、家具コンポーネントに適用する。
該家具コンポーネントは、キャビネット体、引き出しパネル、及びスライドレールアセンブリを備える。
該スライドレールアセンブリは、少なくとも固定レール、及び該固定レールに相対してスライド状に移動する可動レールを有する。該固定レールは、該キャビネット体に固定されている。
調整装置は、固定部、スライドレールアセンブリに固定状に設置される可動レール、第一プレート、第二プレート、第一調整部材、第一ロック部材を備える。
該固定部は、第一孔及びウィンドウを有する。
該第一プレートは、該固定部に連接し、該第一プレートは該固定部のウィンドウに対応する第一軸部を有する。
該第二プレートは、該固定部に連接し、該第二プレートは、第一プレートセクション、及び該第一プレートセクションに垂直に連接する第二プレートセクションを有する。
該引き出しパネルは、該第二プレートセクションに設置する。該第一プレートセクションは、第一接触部及び第二接触部を有する。該第一接触部は該固定部の第一孔に対応し、該第二接触部は該固定部のウィンドウに対応している。
該第一調整部材は、調整部、及び該調整部に連接する偏心部を有する。該調整部と該第二プレートの第二接触部とは接触する。該偏心部は、該固定部のウィンドウを貫通し、該第一プレートの第一軸部に移動可能に接続する。該第一ロック部材の一部は、該第二プレートの第一接触部より、該固定部の第一孔を通過して、該第一プレートに連接する。
該第二プレートは、該第一調整部材の移動に対応する。該第二プレートは、該固定部に相対して、偏り移動の角度を調整することができ、こうして該引き出しパネルの該キャビネット体に対する角度は、調整される。
【００１２】
本考案の効果は下記の通りである。
本考案調整装置により、キャビネット体に対する引き出しパネルの角度及び/或いは位置を、使用者は便利に調整することができる。
【図面の簡単な説明】
【００１３】
【図１】従来の引き出しシステムの分解模式図である。
【図２ａ】本考案の一実施形態による調整装置を示す分解斜視図である。
【図２ｂ】本考案の一実施形態による第一調整部材を示す模式図である。
【図２ｃ】本考案の別種の実施形態による固定部を示す模式図である。
【図２ｄ】本考案の別種の実施形態による固定部と第二プレート間の関連を示す模式図である。
【図３】本考案の一実施形態による調整装置の組立てを示す模式図である。
【図４ａ】本考案の一実施形態による調整装置の組立て動作を示す模式図（一）である。
【図４ｂ】本考案の一実施形態による調整装置の組立て動作を示す模式図（二）である。
【図４ｃ】本考案の一実施形態による調整装置の組立て動作を示す模式図（三）である。
【図５ａ】本考案の一実施形態による調整装置の第一角度への調整を示す模式図である。
【図５ｂ】本考案の一実施形態による調整装置の第二角度への調整を示す模式図である。
【図６ａ】本考案の一実施形態による調整装置の第一位置への調整を示す模式図である。
【図６ｂ】本考の一案実施形態による調整装置の第二位置への調整を示す模式図である。
【図７】本考案の一実施形態による調整装置を家具コンポーネントに設置することを示す模式図である。
【図８ａ】本考案の一実施形態による引き出しパネルを第一角度へと調整することを示す模式図である。
【図８ｂ】本考案の一実施形態による引き出しパネルを第二角度へと調整することを示す模式図である。
【図８ｃ】本考案の一実施形態による引き出しパネルを適当な位置へと調整することを示す模式図である。
【考案を実施するための形態】
【００１４】
本考案の実施形態による調整装置を図面に基づいて説明する。
（一実施形態）
図２ａ、図２ｂ及び図３に示すように、本考案実施形態による調整装置１０は、固定部１２、第一プレート１４、第二プレート１６、一対の第一連結部材１８ａ、一対の第二連結部材１８ｂ、第一調整部材２０ａ、第二調整部材２０ｂ、第一ロック部材２２ａ、及び第二ロック部材２２ｂを備える。
【００１５】
固定部１２は、第一面部２４ａ、及び第一面部２４ａに相対する第二面部２４ｂ、頂辺２６ａ、底辺２６ｂ、底辺２６ｂに隣接する第一孔２８ａ、頂辺２６ａに近接する第二孔２８ｂ、ウィンドウ３０、及び縦方向孔３２を備える。
【００１６】
ウィンドウ３０及び縦方向孔３２は、第一孔２８ａと第二孔２８ｂとの間に位置する。
好ましくは、第一孔２８ａ及び第二孔２８ｂは、横方向孔である。
【００１７】
第一プレート１４は、固定部１２の第一面部２４ａに連接し、第一プレート１４は、頂辺３４ａ、底辺３４ｂ、底辺３４ｂに隣接する一対の第一横方向孔３６ａ、頂辺３４ａに隣接する第二横方向孔３６ｂ、第一軸部３８ａ、及び第二軸部３８ｂを備える。
第一軸部３８ａ及び第二軸部３８ｂは、一対の第一横方向孔３６ａと一対の第二横方向孔３６ｂとの間に位置する。
第一軸部３８ａは、固定部１２のウィンドウ３０に対応する。
第二軸部３８ｂは、固定部１２の縦方向孔３２に対応する。
【００１８】
第二プレート１６は、固定部１２の第二面部２４ｂに連接し、第二プレート１６は、第一プレートセクション４０、及び第一プレートセクション４０におおよそ垂直に連接する第二プレートセクション４２を備える。
第一プレートセクション４０は、連結部４４、第一接触部４６、及び連結部４４と第一接触部４６との間に位置する第二接触部４８を備える。
連結部４４は、固定部１２の第二孔２８ｂに対応し、しかも連結部４４は、第一側壁５０ａ及び第二側壁５０ｂを備える。
第一側壁５０ａ及び第二側壁５０ｂは、相互に予定距離を隔てる。
第一接触部４６は、固定部１２の第一孔２８ａに対応する。
第二接触部４８は、固定部１２のウィンドウ３０に対応する。
一実施形態中では、連結部４４、第一接触部４６、及び第二接触部４８は、フックの形態であるが、これに限定しない。
【００１９】
一対の第一連結部材１８ａは、第一プレート１４の一対の第一横方向孔３６ａに対応する。
各第一連結部材１８ａの一部分は、各第一横方向孔３６ａを貫通し、第一プレート１４を固定部１２に連接する。
同様に、一対の第二連結部材１８ｂは、第一プレート１４の一対の第二横方向孔３６ｂに対応する。
各第二連結部材１８ｂの一部分は、各第二横方向孔３６ｂを貫通し、第一プレート１４を固定部１２に連接する。
これにより、第一プレート１４は、固定部１２に相対して、横方向に移動可能となる。
【００２０】
第一調整部材２０ａは、調整部５２ａ及び調整部５０ａに連接する偏心部５４ａを備える。
第一調整部材２０ａの調整部５２ａと第二プレート１６の第一プレートセクション４０の第二接触部４８とは、接触する。
第一調整部材２０ａの偏心部５２ａは、固定部１２のウィンドウ３０を貫通し、第一プレート１４の第一軸部３８ａに移動可能に接続する。
【００２１】
第二調整部材２０ｂの配置は、第一調整部材２０ａと同様で、第二調整部材２０ｂは、調整部５２ｂ、及び調整部５２ｂに連接する偏心部５４ｂを備える。
第二調整部材２０ｂの調整部５２ｂと固定部１２の縦方向孔３２の孔壁とは、接触する。
第二調整部材２０ｂの偏心部５４ｂは、第一プレート１４の第二軸部３８ｂに移動可能に接続する。
【００２２】
第一ロック部材２２ａの一部分は、第二プレート１６の第一接触部４６より、固定部１２の第一孔２８ａを通過して、第一プレート１４に連接する。
これにより、第一プレート１４及び第二プレート１６は、固定部１２に螺合される。
【００２３】
第二ロック部材２２ｂの一部分は、第二プレート１６の連結部４４より、固定部１２の第二孔２８ｂを通過し、第一プレート１４に連接する。
これにより、第一プレート１４及び第二プレート１６は、固定部１２に螺合される。
【００２４】
第一ロック部材２２ａ及び第二ロック部材２２ｂが、緊密に螺合されると、第一プレート１４及び第二プレート１６は、固定部１２に固定される。
第一ロック部材２２ａ及び第二ロック部材２２ｂが、ロック状態を解除されると、第一プレート１４及び第二プレート１６は、固定部１２に相対し、可動状に移動調整が可能となる。
【００２５】
図２ｃは、本考案別種の実施形態による固定部２００を示す。
固定部２００の配置は、前記の固定部１２に類似する。
固定部２００は、第一孔２０２及び第二孔２０４を備える。
第一孔２０２と前記固定部１２の第一孔２８ａとは同一であるが、主な差異は、第二孔２０４の孔径が、前記固定部１２の第二孔２８ｂより大きいことである。
これにより、前記第二ロック部材２２ｂは、第二プレート１６の連結部４４を通して、第二孔２０４を通過し、第一プレート１４に連接できる。
【００２６】
図２ｄに示すように、固定部２００の第二孔２０４は、幅ｗ１及び高度ｈ１を備える。
第二プレート１６の連結部４４は、幅ｗ２及び高度ｈ２を備える。
固定部２００の第二孔２０４の幅ｗ１は、第二プレート１６の連結部４４の幅ｗ２より大きいか、同等である。
固定部２００の第二孔２０４の高度ｈ１は、第二プレート１６の連結部４４の高度ｈ２より大きい。
図４ａに示すように、一対の第一連結部材１８ａ及び一対の第二連結部材１８ｂは、第一プレート１４を固定部１２に連接する。
第一ロック部材２２ａ及び第二ロック部材２２ｂは、固定部１２及び第一プレート１４を連接する。
【００２７】
組立て時には、第二プレート１６の連結部４４及び第一接触部４６は、それぞれ側面から第二ロック部材２２ｂ及び第一ロック部材２２ａに対応する。
【００２８】
図４ｂ及び図４ｃに示すように、第二プレート１６は、Ｆ１の掛置方向により、第二プレート１６を、第一ロック部材２２ａ及び第二ロック部材２２ｂ上方へと推移させる。
第二プレート１６そのものの重量により、Ｆ２方向へと、第二プレート１６は、固定部１２に可動状に設置される。
【００２９】
図５ａに示すように、第一調整部材２０ａが第一方向Ａ１へと第一予定位置まで回転移動させられると、
第一調整部材２０ａが第二プレート１６に対して生じる偏心力量により、第二プレート１６を連動し、第一ロック部材２２ａを軸心として移動させる。
これにより、第二プレート１６は固定部１２に対して偏り、第一角度Ｂ１まで移動し、しかも第二プレート１６の連結部４４の第一側壁５０ａは、第二ロック部材２２ｂに止まる。
【００３０】
図５ｂに示すように、第一調整部材２０ａが第二方向Ａ２に向かい回転して第二予定位置まで移動すると、第一調整部材２０ａが第二プレート１６に対して生じる偏心力量により、第二プレート１６を連動し、第一ロック部材２２ａを軸心として移動させる。
これにより、第二プレート１６は、固定部１２に対して偏り、第二角度Ｂ２まで移動し、しかも第二プレート１６の連結部４４の第二側壁５０ｂは、第二ロック部材２２ｂに止まる。
すなわち、第二プレート１６は、第一調整部材２０ａの移動に対応し、第二プレート１６は、固定部１２に相対して、偏り移動の角度を調整することができる。
よって、第二プレート１６は、固定部１２に相対し、角度調整の機能を備える。
【００３１】
図６ａに示すように、第二調整部材２０ｂが、第一方向Ａ１へ向い、第一予定位置まで回転移動させられると、第二調整部材２０ｂの調整部５２ｂと固定部１２の縦方向孔３２の孔壁とは接触し、しかも第二調整部材２０ｂの偏心部５４ｂは、第一プレート１４の第二軸部３８ｂに移動可能に接続するため、第一プレート１４は、第二調整部材２０ｂの偏心移動に対応し、固定部１２に相対して移動する。
これにより、第一ロック部材２２ａ及び第二ロック部材２２ｂの、固定部１２に相対した移動を連動し、第二プレート１６は、第一ロック部材２２ａの移動に対応し、固定部１２に相対して移動する。
よって、第二調整部材２０ｂの調整により、第二プレート１６は、固定部１２に相対し、第一位置Ｃ１まで移動することができる。
【００３２】
図６ｂに示すように、第二調整部材２０ｂが第二方向Ａ２に向い、回転して第二予定位置まで移動すると、同様に、第一プレート１４は、第二調整部材２０ｂの偏心移動に対応し、固定部１２に相対して移動する。
さらに、第一ロック部材２２ａ及び第二ロック部材２２ｂの、固定部１２に相対した移動を連動し、第二プレート１６は、第一ロック部材２２ａの移動に対応し、固定部１２に相対して移動する。
よって、第二調整部材２０ｂの調整により、第二プレート１６は、固定部１２に相対し、第二位置Ｃ２まで移動することができる。
【００３３】
図７は、キャビネット体５６、引き出しパネル５８、スライドレールアセンブリ６０、及び調整装置１０を示す。
スライドレールアセンブリ６０は、キャビネット体５６と調整装置１０との間に設置する。
スライドレールアセンブリ６０は、少なくとも固定レール６２、及び固定レール６２に相対してスライド状に移動する可動レール６４を備える。
好ましくはさらに、固定レール６２と可動レール６４との間にスライド状に連接する中レール６６を備える。
これにより、可動レール６４は、固定レール６２に相対して引き出され後、中レール６６により、より長い行程まで展開される。
【００３４】
実施の際には、固定レール６２は、キャビネット体５６に固定状に設置される。
調整装置１０の固定部１２は、スライドレールアセンブリ６０の可動レール６４に、固定状に設置される。
引き出しパネル５８は、調整装置１０の第二プレート１６の第二プレートセクション４２に設置される。
【００３５】
図８ａ及び図８ｂに示すように、引き出しパネル５８がキャビネット体５６に対して正対応でない時には、第一調整部材２０ａ及び/或いは第二調整部材２０ｂを通して調整し、引き出しパネル５８は、キャビネット体５６に対して、適当な位置まで調整される（図８ｃ参照）。
【００３６】
上述の実施形態による説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００３７】
２  引き出しシステム、
４  引き出しキャビネット体、
６ａ、６ｂ、６ｃ  引き出し、
１０  調整装置、
１２  固定部、
１４  第一プレート、
１６  第二プレート、
１８ａ  第一連結部材、第一連結部材
１８ｂ  第二連結部材、第二連結部材
２０ａ  第一調整部材、第一調整部材
２０ｂ  第二調整部材、第二調整部材
２２ａ  第一ロック部材、
２２ｂ  第二ロック部材、
２４ａ  第一面部、
２４ｂ  第二面部、
２６ａ  頂辺、
２６ｂ  底辺、
２８ａ  第一孔、
２８ｂ  第二孔、
３０  ウィンドウ、
３２  縦方向孔、
３４ａ  頂辺、
３４ｂ  底辺、
３６ａ  第一横方向孔、
３６ｂ  第二横方向孔、
３８ａ  第一軸部、
３８ｂ  第二軸部、
４０  第一プレートセクション、
４２  第二プレートセクション、
４４  連結部、
４６  第一接触部、
４８  第二接触部、
５０ａ  第一側壁、
５０ｂ  第二側壁、
５２ａ  調整部、
５２ｂ  調整部、
５４ａ  偏心部、
５４ｂ  偏心部、
５６  キャビネット体、
５８  引き出しパネル、
６０  スライドレールアセンブリ、
６２  固定レール、
６４  可動レール、
６６  中レール、
２００  固定部、
２０２  第一孔、
２０４  第二孔、
ｗ１  幅、
ｗ２  幅、
ｈ１  高度、
ｈ２  高度、
Ｆ１  方向、
Ｆ２  方向、
Ａ１  第一方向、
Ａ２  第二方向、
Ｂ１  第一角度、
Ｂ２  第二角度、
Ｃ１  第一位置、
Ｃ２  第二位置。
【図１】
0003192554.tif 000003
【図２ａ】
0003192554.tif 000004
【図２ｂ】
0003192554.tif 000005
【図２ｃ】
0003192554.tif 000006
【図２ｄ】
0003192554.tif 000007
【図３】
0003192554.tif 000008
【図４ａ】
0003192554.tif 000009
【図４ｂ】
0003192554.tif 000010
【図４ｃ】
0003192554.tif 000011
【図５ａ】
0003192554.tif 000012
【図５ｂ】
0003192554.tif 000013
【図６ａ】
0003192554.tif 000014
【図６ｂ】
0003192554.tif 000015
【図７】
0003192554.tif 000016
【図８ａ】
0003192554.tif 000017
【図８ｂ】
0003192554.tif 000018
【図８ｃ】
0003192554.tif 000019